(57)【特許請求の範囲】
【請求項１】
計測光を被写体に照射し反射して戻って来た散乱光を回収する光干渉断層画像生成装置に使用するプローブであって、
前記計測光の光路が設けられたハウジングと、
前記ハウジングの先端部に取り付けられ前記被写体に当接させる支持体と、
前記支持体の先端部に配置され前記散乱光を反射させる斜鏡と、
前記斜鏡の下端部に連結され前記被写体に当接させるスペーサと、を備え、
前記スペーサの高さは、
前記被写体から前記斜鏡における所定の基準点までの距離を前記光干渉断層画像生成装置に予め設定された撮影可能距離を超えて離隔させるように設定され、
前記所定の基準点を前記斜鏡の下端部にした第１の隔離高さに設定されていること、
を特徴とするプローブ。
【請求項２】
前記第１の離隔の高さに代えて、前記スペーサの高さは、
前記所定の基準点を前記斜鏡における前記計測光の走査領域の下端部にした第２の離隔高さに設定されていること、
を特徴とする請求項１に記載のプローブ。
【請求項３】
前記スペーサの高さは、
前記第１の離隔高さから前記第２の離隔高さの間の高さに設定されていること、
を特徴とする請求項２に記載のプローブ。
【発明の詳細な説明】
【技術分野】
【０００１】
本発明は、例えば、光のコヒーレント（干渉性）を利用して物体内部の断層像を撮像する光干渉断層画像生成装置に使用されるプローブに関する。
【背景技術】
【０００２】
歯科用の光干渉断層画像生成装置（Optical Coherence Tomography：以下、ＯＣＴ装置という。）は、光源から照射されたレーザ光を計測光と参照光とに分配し、計測光をプローブ（ハンドピース）から口腔内組織に照射すると共に、参照光を参照ミラーに照射する。さらに、ＯＣＴ装置は、口腔内組織から反射して戻って来た散乱光をプローブで回収し、散乱光と参照ミラーからの反射光とを光合波器で合成させて、その干渉光を解析して断層画像を生成している。
【０００３】
従来、プローブは、例えば、特許文献１に記載されているように、前歯を撮影する際に、前歯用の金属製の直視撮影用支持体を取り付け、前歯用支持体の先端を前歯に当接させたり、係止させたりして、安定させた状態で撮影が行われる。
また、プローブは、臼歯を撮影する際に、臼歯上に載置したり、臼歯に係止したりする固定具と、計測光及び散乱光を反射する斜鏡と、を備えた臼歯用の金属製の側視撮影用支持体を取り付けて撮影が行われる。
【０００４】
図７は、従来の側視撮影用支持体を取り付けたプローブで臼歯を撮影しているときの状態を示す模式図である。
図７に示すように、臼歯Ｓ１００を撮影する際に使用するプローブ１００には、ハウジング２００の先端部に設けられた外環部材３００に臼歯用の側視撮影用支持４００（臼歯用支持体）が取り付けられる。側視撮影用支持４００は、外環部材３００の開口部に着脱可能に設けられた係合筒部材４１０と、係合筒部材４１０に連結された棒状部４２０と、棒状部４２０の先端部に斜め４５度の状態に接合された斜鏡枠４３０と、斜鏡枠４３０内に内嵌された斜鏡４４０と、斜鏡枠４３０の下端に水平に取り付けられた環状の固定具４５０と、有して構成されている。
【０００５】
固定具４５０は、前記特許文献１のプローブの固定具同様に、プローブ１００で臼歯Ｓ１００を撮影する際に、臼歯Ｓ１００の上に載せて、プローブ１００の先端部がふら付くのを防止して静止させるための部位である。固定具４５０は、操作し易くするのに、重量を軽減させたり、また、撮影の際に計測光を遮ったり、撮影部を視認する術者の邪魔にならないようにするために、高さＨ１００の低くて薄い円形リング状に形成されている。その高さＨ１００は、一般的に、最大でも２ｍｍ程度である。
【先行技術文献】
【特許文献】
【０００６】
【特許文献１】特開２０１４−６１０８９号公報（図１０、図１２、図１４、図１６）
【発明の概要】
【発明が解決しようとする課題】
【０００７】
しかし、特許文献１に記載された側視撮影用支持や、図７に示す側視撮影用支持４００をプローブに取り付けて臼歯Ｓ１００を撮影した場合は、斜鏡４４０が臼歯Ｓ１００の表面に近すぎるので、撮影した三次元断層画像、あるいは、二次元断層画像に、余分な斜鏡の画像が映り込み、画像が見難くなるという問題点があった。
【０００８】
そこで、本発明は、そのような問題を解消すべく発明されたものであって、撮影する被写体の断層画像内に斜鏡が映り込まないようにして鮮明な断層画像を得ることができるプローブを提供することを課題とする。
【課題を解決するための手段】
【０００９】
前記課題を解決するために、本発明に係るプローブは、計測光を被写体に照射し反射して戻って来た散乱光を回収する光干渉断層画像生成装置に使用するプローブであって、前記計測光の光路が設けられたハウジングと、前記ハウジングの先端部に取り付けられ前記被写体に当接させる支持体と、前記支持体の先端部に配置され前記散乱光を反射させる斜鏡と、前記斜鏡の下端部に連結され前記被写体に当接させるスペーサと、を備え、前記スペーサの高さは、前記被写体から前記斜鏡における所定の基準点までの距離を前記光干渉断層画像生成装置に予め設定された撮影可能距離を超えて離隔させるように設定され、前記所定の基準点を前記斜鏡の下端部にした第１の隔離高さに設定されていることを特徴とする。
【００１０】
かかる構成によれば、プローブは、スペーサの高さが、被写体から斜鏡の所定の基準点までの距離を、光干渉断層画像生成装置に設定された可干渉距離の半分の距離を超えて離隔させるように設定されていることで、斜鏡が撮影可能な距離の範囲外に配置される。このため、斜鏡の像が画像領域外に現れるので、プローブで撮影した断層画像内に斜鏡が映らないようにすることができる。また、支持体のスペーサは、所定の基準点を斜鏡の下端部にした第１の隔離高さに設定されていることによって、被写体を撮影中に、集光レンズから被写体までの焦点距離を所望内の距離に一定に維持することができるので、被写体の鮮明な断層画像を得ることができる。
【００１１】
また、前記第１の離隔の高さに代えて、前記スペーサの高さは、前記所定の基準点を前記斜鏡における前記計測光の走査領域の下端部にした第２の離隔高さに設定されていることが好ましい。
【００１２】
かかる構成によれば、スペーサの高さが、所定の基準点を斜鏡における計測光の走査領域の下端部にした第２の離隔高さに設定されていることによって、スペーサの高さをより小さくすることができるので、支持体を口の中に入れたときの圧迫感を緩和することができる。
【００１３】
また、前記スペーサの高さは、前記第１の離隔高さから前記第２の離隔高さの間の高さに設定されていることが好ましい。
【００１４】
かかる構成によれば、スペーサの高さは、第１の離隔高さから第２の離隔高さの間の高さに設定されていることによって、撮影した断層画像に斜鏡が映るのを解消することができる。
【発明の効果】
【００１５】
本発明によれば、撮影する被写体の断層画像内に斜鏡が映り込まないようにして鮮明な断層画像を得ることができるプローブを提供することができる。
【図面の簡単な説明】
【００１６】
【図１】本発明の実施形態に係るプローブの一例を示す斜視図である。
【図２】プローブの先端部を示す拡大側面図である。
【図３】プローブによって撮影可能な範囲及び斜鏡が画像内に映らない範囲を示す説明図である。
【図４】本発明の実施形態に係るプローブの第１変形例を示す図であり、支持体の要部拡大概略正面図である。
【図５】本発明の実施形態に係るプローブの第１変形例を示す図であり、支持体の要部拡大概略側面図である。
【図６】本発明の実施形態に係るプローブの第２変形例を示す図であり、支持体の要部拡大斜視図である。
【図７】従来の側視撮影用支持体を備えたプローブを示す要部拡大側面図である。
【発明を実施するための形態】
【００１７】
次に、図１〜図３を参照して本発明の実施形態に係るプローブの一例を説明する。本発明の実施形態に係るプローブを説明する前に、プローブが使用されるＯＣＴ装置（光干渉断層画像生成装置）について説明する。以下、ＯＣＴ装置（光干渉断層画像生成装置）によって撮影される歯科患者の診断対象の口腔内組織である被写体Ｓの一例として、臼歯（奥歯部）を例に挙げて説明する。
【００１８】
＜ＯＣＴ装置＞
不図示のＯＣＴ装置は、光のコヒーレントを利用して口腔内組織である被写体Ｓを撮影する断層画像撮影装置である。ＯＣＴ装置は、プローブ１（診断プローブ部）と、光学ユニットと、制御ユニットと、を主に備えて構成されている。
ＯＣＴ装置は、光学ユニット内で光源から照射されたレーザ光を被写体Ｓに照射する計測光と、参照ミラーに照射する参照光と、に分配している。計測光は、被写体Ｓに照射され、被写体Ｓの内部から散乱して戻って来た散乱光はプローブ１によって回収される。また、散乱光は、光学ユニット内の参照ミラーによって照射される。そして、光学ユニットで散乱光と、参照ミラーからの反射光と、を光合波器で合成させて、その干渉光を制御ユニットで解析して光干渉断層画像を生成している。
【００１９】
＜プローブ＞
図１に示すプローブ１は、レーザ光を走査する走査手段（ガルバノミラー、あるいは、ＭＥＭＳミラー）を備え、光学ユニットからのレーザ光を被写体Ｓ（図２参照）に導くと共に、被写体Ｓ内で散乱して反射した散乱光を受光して光学ユニットに導くものである。プローブ１は、計測光及び散乱光の光路が設けられているハウジング２と、ハウジング２の先端部に取り付けられた支持体３と、を備えている。
【００２０】
撮影時、術者は、ハウジング２を手で持って、手振れ防止等のため、側視撮影用（臼歯用）の支持体３の先端部を患者の被写体Ｓに載置するようにして当接させる。そして、光学ユニットから光ファイバー（図示省略）等を介してハウジング２内に導入された計測光を、ハウジング２の先端部開口２ａから被写体Ｓに照射する。さらに、被写体Ｓ内から反射して戻って来た散乱光を、ハウジング２の先端部開口２ａで回収して光学ユニットに伝送する。
【００２１】
＜ハウジング＞
図１に示すハウジング２は、略直線状の中空の樹脂製ケースから成る。ハウジング２は、先端部に、集光レンズ４を収容するレンズ収容部２ｂが形成され、基端部に、不図示の光ファイバー及びケーブル等が挿入されている。ハウジング２の軸方向の中間部は、術者が手で把持したり、走査手段が収容されたりする部位であり、縦断面視して略矩形に形成されている。
【００２２】
先端部開口２ａは、支持体３が取り付けられる部位であり、レンズ収容部２ｂの先端部に円形に形成された開口から成る。先端部開口２ａは、ハウジング２内の走査手段からの計測光を支持体３を介して被写体Ｓに照射して、被写体Ｓで反射された散乱光を回収する部位でもある。先端部開口２ａには、支持体３の装着部３１を着脱可能に保持する支持機構（図示省略）を内設した筒体２１が設けられている。
レンズ収容部２ｂは、断面視して略円形の筒状に形成されている。
【００２３】
なお、ハウジング２は、支持体３が取り付けられる先端部開口２ａを有しているものであれば、その形状は特に限定されない。例えば、ハウジング２は、側面視して略逆Ｌ字形状（略ピストル形状）に形成されたものや、中央部が側面視して略へ字状に曲がっているものや、レンズ収容部２ｂ側を水平にしてグリップ部側を下方向に折れ曲がった状態に形成したもの等であってもよい。
【００２４】
筒体２１は、直視撮影用の支持体３の基端側の装着部３１を着脱自在に取り付けるための部材であり、略円筒状に形成されている。筒体２１内には、装着部３１を着脱自在、及び、回動自在に装着するための取着脱機構（図示省略）が設けられている。
【００２５】
＜集光レンズ＞
図２に示すように、集光レンズ４は、走査手段による走査光を集光すると共に、計測光を被写体Ｓに集光させて照射するレンズであり、レンズ収容部２ｂ内に光軸方向に位置調整可能に設けられている。
【００２６】
＜支持体＞
支持体３は、被写体Ｓの断層画像を撮影する際に、被写体Ｓと集光レンズ４との間隔を一定に保つと共に、プローブ１を被写体Ｓに対して振れることなく、安定した状態に支持させるための部材である。また、支持体３は、臼歯用（側視撮影用）であるため、計測光及び散乱光を光軸に対して直交する方向に反射させる斜鏡３４を備えて、プローブ１の方向に対して、直交する方向から被写体Ｓを撮影できるように構成されている。支持体３は、ハウジング２の先端部に配置され、散乱光を回収する先端部開口２ａ付近から光軸方向に延設されて、被写体Ｓに当接させて使用される。
【００２７】
支持体３は、先端部開口２ａに着脱自在に設けられる装着部３１と、光軸方向に延設された棒状部３２と、棒状部３２の先端部に連結された斜鏡保持部３３と、斜鏡保持部３３に設けられた斜鏡３４と、斜鏡保持部３３の下端に連結されて被写体Ｓに当接されるスペーサ３５と、を有している。支持体３は、全体がステンレス鋼等の金属によって形成されて、溶接するなどして一体化されている。
【００２８】
装着部３１は、ハウジング２の先端部開口２ａに対して着脱自在（交換可能）、かつ、回動自在に装着されている。装着部３１は、略円筒状に形成されている。
棒状部３２は、光軸に沿って平行に延設された細い丸棒状の部材である。棒状部３２は、基端部が、装着部３１の上端部に接合され、先端部が、下方向に４５度斜めに折り曲げて形成されて、斜鏡保持部３３の上部先端側（上部裏面側）に接合されている。棒状部３２は、撮影時に、歯科患者の口の外側に配置されるハウジング２と、歯科患者の口の中に配置される斜鏡３４及びスペーサ３５と、の間に介在される中間部材である。
【００２９】
斜鏡保持部３３は、ハウジング２側の表面に斜鏡３４を備えた略円盤形状の部材であり、斜鏡３４と共に、先端側が下がるように４５度に傾けた状態に配置されている。
斜鏡３４は、ステンレス鋼等の金属製の鏡から成り、例えば、円形に形成されている。
【００３０】
スペーサ３５は、プローブ１で撮影した画像に斜鏡３４の画像が映るのを解消するために、斜鏡３４を、斜鏡３４の画像が映らない位置に配置するための手段である。スペーサ３５は、撮影時に、斜鏡３４と被写体Ｓとの間に配置させることによって、両者間の距離を、斜鏡３４の像が画像領域外に現れる距離に一定に保つための役目を果す。また、スペーサ３５は、撮影する際に、被写体Ｓに当接させることにより、プローブ１が揺れて撮影した画像が振れるのを抑制して安定した状態にプローブ１の先端部を支持するための役目も果す。このため、スペーサ３５の高さＨは、被写体Ｓから斜鏡３４における所定の基準点Ｂまでの距離を光干渉断層画像生成装置に予め設定された撮影可能距離Ｃを超えて離隔させるように設定され、所定の基準点Ｂを斜鏡３４の下端部３４ａにした第１の隔離高さＨ１に設定されている。
【００３１】
スペーサ３５は、斜鏡保持部３３の下端に連結された上部フレーム３５ａと、上部フレーム３５ａから下方向延設された支持フレーム３５ｂと、支持フレーム３５ｂの下端に連結されて被写体Ｓに当接される下部フレーム３５ｃと、空間で成る窓部３ｄと、を備えている。
【００３２】
上部フレーム３５ａは、例えば、水平に配置された丸いリング状の部材から成る。上部フレーム３５ａは、前端部が斜鏡保持部３３の下端部に接合されている。
支持フレーム３５ｂは、例えば、円形の上部フレーム３５ａと、円形の下部フレーム３５ｃとの間に形成されて、両者を連結する部材である。支持フレーム３５ｂは、上部フレーム３５ａと下部フレーム３５ｃとの間の三箇所に均等な間隔を介して上下方向に垂直に設けられている。
下部フレーム３５ｃは、被写体Ｓに載置させる部位であり、例えば、上部フレーム３５ａと同じ丸いリング形状をしている。
【００３３】
窓部３５ｄは、撮影中に術者が被写体Ｓを視認したときに、スペーサ３５で被写体Ｓが隠れるのを抑制して視認可能にして、撮影作業を行い易くするための空間である。窓部３ｄは、均等な間隔で配置された三本の支持フレーム３５ｂと、上部フレーム３５ａと、下部フレーム３５ｃと、によって形成されている。
このように形成されたスペーサ３５は、側面に視認用の三つの窓部３５ｄを有して、全体が、上下方向に向かって計測光及び散乱光が通る中空状の円筒状に形成されている。
【００３４】
次に、図３を参照して画像化される領域Ａ及び撮影可能距離Ｃを説明する。図３は、プローブによって撮影可能な範囲及び斜鏡が画像内に映らない範囲を示す説明図である。
図３に示す撮影可能距離Ｃは、被写体Ｓの表面から深さ方向の撮影可能な距離（奥行き距離）をいい、光干渉断層画像生成装置における用途等から予め設計仕様として設定される。
【００３５】
さらに、一例を挙げて説明すると、ＯＣＴ装置の光源は、例えば、光源メーカ規定の撮影可能距離Ｃである所定の深さの光干渉断層画像の測定に用いるのに規定された周波数（例えば、２５０ＭＨｚ）の信号を生成するために、光源メーカの工場においてクロック用光干渉計の光路調整部の光路長（例えば、１０ｍｍ）が設定されて出荷される。
【００３６】
このように、ＯＣＴ装置に使用される光源の撮影可能距離Ｃは、一般的にメーカ出荷時に光源メーカで予め設定されている。なお、光源の外部に周波数変換装置等を設け、撮影可能距離Ｃを変更することができるものもある。
【００３７】
図３に示すように、可干渉距離Ｌ（コヒーレント長）は、被写体Ｓ内に入った計測光が所定の深さで反射されて散乱光として戻って来るまでの往復距離である。可干渉距離Ｌは、パワースペクトルの減衰が６ｄＢとなる距離に相当し、１０ｍ以上４８ｍｍ未満の高コヒーレントなものが好ましい。このため、本発明では、可干渉距離Ｌが１６ｍｍのＳＳ−ＯＣＴ方式用のレーザ光源を採用した。その場合、撮影可能距離Ｃは、プローブ１によって画像化される領域Ａであって、可干渉距離Ｌの半分の長さの８ｍｍとなる。このときに得られる画像は、被写体Ｓが正対した像（反転した像）になっているが、ソフトでさらに反転させて反転でない画像を得ることができる。
【００３８】
このため、図２に示すスペーサ３５の高さＨ１は、プローブ１で撮影した際に画像化される領域Ａの長さである撮影可能距離Ｃと同じ高さの８ｍｍである。プローブ１で撮影可能距離Ｃは、被写体Ｓの表面から８ｍｍであり、可干渉距離Ｌの半分の距離である。
かかる構成により、斜鏡３４の画像が被写体Ｓの光干渉画像に映り込むことを防止することができる。
【００３９】
［作用］
次に、ＯＣＴ装置（光干渉断層画像生成装置）を使用して被写体Ｓを撮影する場合を説明する。
【００４０】
図２に示すように、プローブ１は、撮影する際に、集光レンズ４と、スペーサ３５の下端（先端）に当接させた被写体Ｓとの間の距離（集光点）をハウジング２に内設した集光点調整機構（図示省略）で調整することにより、撮影する断層画像を被写体Ｓの基準となる表面から深さ方向に位置調整して、深さ方向に広い範囲に亘って断層画像を得ることができる。
【００４１】
例えば、被写体Ｓの表面の先端部に集光レンズ４の焦点がある場合に、被写体Ｓの表面から距離（Ｌ１）中側の位置Ｐの断層画像を撮影するときは、スペーサ３５の下端部３５ｅを被写体Ｓに押し当てて、可干渉距離Ｌの半分内の画像化される領域Ａまで集光点調整機構（図示省略）によって集光レンズ４を光軸方向に動かして、集光レンズ４の焦点位置を位置Ｐに合わせることで、ピントが合う。このため、被写体Ｓの撮影したい位置Ｐの断層画像を鮮明な状態に撮影することができる。
【００４２】
前記したように、スペーサ３５の高さＨは、被写体Ｓから斜鏡３４の所定の基準点Ｂまでの距離を光干渉断層画像生成装置に予め設定された撮影可能距離Ｃを超えて離隔させるように、所定の基準点Ｂを斜鏡３４の下端部３４ａにした第１の隔離高さＨ１に設定されている。このため、スペーサ３５は、斜鏡３４と被写体Ｓとの間に配置して、斜鏡３４を斜鏡３４自体の画像が映らない位置に離して配置したので、斜鏡３４の画像が被写体Ｓの光干渉画像が映り込むことを防止することができる。
【００４３】
また、支持体３は、装着部３１を回動させれば、斜鏡３４及びスペーサ３５の向き（撮影する方向）をレンズ収容部２ｂ内の光軸を中心として３６０度自由に変えられるので、口腔内の奥にある臼歯部の断層画像を容易に撮影することができる。
【００４４】
また、側視撮影用の支持体３は、口腔内組織撮影や、直視撮影用の支持体で撮影困難な部位、例えば、臼歯部の咬合面、舌側面、頬側面の撮影、その他、前歯部の舌側面側の断層画像を撮影するのにも適している。
【００４５】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、既に説明した構成は同じ符号を付してその説明を省略する。
図４は、本発明の実施形態に係るプローブの第１変形例を示す図であり、支持体の要部拡大概略正面図である。図５は、本発明の実施形態に係るプローブの第１変形例を示す図であり、支持体の要部拡大概略側面図である。なお、図４及び図５において、走査領域Ｄは、側面視してその位置が判るように図示するために厚みがあるもので図示しているが、実際には厚みは無い。
【００４６】
前記実施形態では、所定の基準点Ｂを斜鏡３４の下端部３４ａにした第１の隔離高さＨ１に設定されている場合を説明したが、その所定の基準点Ｂの位置は変更しても構わない。所定の基準点Ｂは、図４に示すように、斜鏡３４に映る画像の走査領域Ｄの下端とする基準点Ｂ１であってもよい。
【００４７】
このため、前記実施形態で説明したスペーサ３５の高さＨは、第１の離隔の高さＨ１に代えて、所定の基準点Ｂ１を斜鏡３４における計測光の走査領域Ｄの下端部にした第２の離隔高さＨ２に設定してもよい。つまり、スペーサ３５の高さＨは、第１の離隔高さＨ１から第２の離隔高さＨ２の間の高さの範囲内に設定されていればよい。
【００４８】
このため、図５に示すように、斜鏡３４における走査領域Ｄが、下側寄りの位置にある場合、第２の離隔高さＨ２は、第１の離隔高さＨ１から第２の離隔高さＨ２の間の高さの範囲内の高さＨ２ｄ’であってもよい。一例を挙げると、走査領域Ｄは、縦及び横の長さが１０ｍｍの正方形をしている。第２の離隔高さＨ２は、８ｍｍである。
【００４９】
このように、斜鏡３４は、斜鏡３４における走査領域Ｄの下端部に基準点Ｂ１を設定して、基準点Ｂ１から被写体Ｓまでの第２の離隔高さＨ２（例えば、８ｍｍ）以上離すように設定してもよい。このようにすれば、斜鏡３４自体の画像が、断層画像内に映り込むのを解消することができる。
【００５０】
なお、斜鏡３４は、円形ものに限定されず、走査領域Ｄの形状に合わせて正方形等の四角形の形状にしたり、正六角形、正八角形等の多角形の形状にしたものであってもよい。
【００５１】
［第２変形例］
図６は、本発明の実施形態に係るプローブの第２変形例を示す図であり、支持体の要部拡大斜視図である。
【００５２】
前記実施形態では、支持体３の一例として、窓部３５ｄを有するスペーサ３５を備えたプローブ１を例に挙げて説明したが、これに限定されるものではない。
図６に示すように、プローブ１は、被写体Ｓに当接させて使用するアングルタイプの側視撮影用の支持体３Ａを有し、スペーサ３５の高さＨがあるものであればよい。
【００５３】
例えば、側視撮影用の支持体３Ａのスペーサ３５Ａは、図６に示すように、集光レンズ４の光軸を直交する方向に変換する斜鏡３４Ａの先端側の下端部３４ａに連結した筒状のものであってもよい。この場合、スペーサ３５Ａは、上部及び下部に開口がある円筒状に形成されて、被写体Ｓに照射して散乱光を回収するようになっている。
【００５４】
このようにスペーサ３５Ａは、斜鏡３４Ａと被写体Ｓとの間を、斜鏡３４Ａの画像が撮影した断層画像内に映り込まない位置に離して配置することができる形状のものであって、計測光と散乱光とを通過させることが可能な形状であれば、適宜変更してもよい。
【００５５】
［その他の変形例］
支持体３の棒状部３２は、ハウジング２対して光軸方向に伸縮自在にしてもよい。このように構成すれば、集光レンズ４の焦点位置及び光軸の長さを調整できるようにすることができる。
【符号の説明】
【００５６】
１      プローブ
２      ハウジング
３，３Ａ  支持体
３３    斜鏡保持部
３４，３４Ａ  斜鏡
３５，３５Ａ  スペーサ
Ａ      走査領域
Ｂ，Ｂ１  斜鏡における所定の基準点
Ｃ      撮影可能距離
Ｈ    スペーサの高さ
Ｈ１    第１の隔離高さ
Ｈ２    第２の離隔高さ
Ｌ      可干渉距離
Ｓ      被写体
【図１】
0006543160.tif 000002
【図２】
0006543160.tif 000003
【図３】
0006543160.tif 000004
【図４】
0006543160.tif 000005
【図５】
0006543160.tif 000006
【図６】
0006543160.tif 000007
【図７】
0006543160.tif 000008